(57)【要約】【課題】解錠キーの管理が容易で、かつ、製造販売時等におけるシリンダ錠の管理も容易な扉錠操作装置を提供することを目的とする。【解決手段】扉体１を施錠する扉錠本体２を所定の解錠コード形成凹部３を備えた真正の解錠キー４により室外側から施解錠操作する室外側シリンダ錠５と、  扉錠本体２を室内側から施解錠操作する室内側錠操作装置６とを有し、  前記室内側錠操作装置６は、室外側シリンダ錠５に使用される解錠キー４の解錠コード形成凹部３以外の共通特徴部分を有するプレート７の挿入を検知した際に室内側錠操作装置６への操作を可能にするキー検出部８を備える。【選択図】  図１
2005325563.tif 000002
【特許請求の範囲】
【請求項１】
扉体を施錠する扉錠本体を所定の解錠コード形成凹部を備えた真正の解錠キーにより室外側から施解錠操作する室外側シリンダ錠と、
扉錠本体を室内側から施解錠操作する室内側錠操作装置とを有し、
前記室内側錠操作装置は、室外側シリンダ錠に使用される解錠キーの解錠コード形成凹部以外の共通特徴部分を有するプレートの挿入を検知した際に室内側錠操作装置への操作を可能にするキー検出部を備える扉錠操作装置。
【請求項２】
所定の解錠コード形成凹部を備えた真正の解錠キーにより操作可能な室外側シリンダ錠により施解錠操作される扉錠本体を室内側から施解錠操作する扉錠の室内側錠操作装置であって、
室外側シリンダ錠に使用される解錠キーの解錠コード形成凹部以外の共通特徴部分を有するプレートの挿入を検知した際に室内側錠操作装置への操作を可能にするキー検出部を備える扉錠操作装置。
【請求項３】
前記解錠キーの共通特徴部分が解錠キーの板厚である請求項２記載の扉錠操作装置。
【請求項４】
前記キー検出部は、前記プレートの挿入によりシリンダケースとの回転境界が開放されてシリンダケースに対する相対回転が許容されるプラグを備えるシリンダ錠である請求項２または３記載の扉錠操作装置。
【請求項５】
前記シリンダ錠のプラグの回転により扉錠本体の施解錠操作が可能な請求項４記載の扉錠操作装置。
【請求項６】
シリンダケース内にプラグを回転自在に挿入してなり、
プラグに形成されたキー挿入部の最奥部近傍に、解錠キーの板厚方向に進退し、挿入キーが所定板厚である際にシリンダケース側のドライブピンとの間の境界がシリンダケースとの回転境界に位置にするタンブラが配置されるキー検出用シリンダ錠。
【発明の詳細な説明】
【技術分野】
【０００１】
本発明は、扉錠操作装置に関するものである。
【背景技術】
【０００２】
室内外にシリンダ錠を備えた扉錠装置としては、特許文献１に記載のものが知られている。この従来例において、錠装置は室内側から錠本体を施解錠操作するためのサムターンと、サムターンを拘束し、サムターンへの回転操作を不能にするサムターンロッキングレバーと、室内側に配置されるシリンダ錠とを有する。シリンダ錠を施錠状態にすると、サムターンロッキングレバーは施錠状態に移行し、以後、サムターンを使用した施解錠操作が不能になる。
【特許文献１】特開２００１-１９３３２６号公報
【発明の開示】
【発明が解決しようとする課題】
【０００３】
しかし、上述した従来例において、室内外にシリンダ錠を配置することによって、例えば、室内外のシリンダ錠を操作するための解錠キーが異なった解錠コードを有する場合には、管理する解錠キーの数が増えて使い勝手が悪くなる。
【０００４】
これに対し、同一の解錠キーで施解錠可能にすると、室内外のシリンダを１セットとして管理する必要が生じ、製造、販売時の管理が困難になる。
本発明は、以上の欠点を解消すべくなされたものであって、解錠キーの管理が容易で、かつ、製造販売時等におけるシリンダ錠の管理も容易な扉錠操作装置を提供することを目的とする。
【０００５】
また、本発明の他の目的は、これに使用可能なキー検出用シリンダ錠の提供にある。
【課題を解決するための手段】
【０００６】
本発明によれば上記目的は、
扉体１を施錠する扉錠本体２を所定の解錠コード形成凹部３を備えた真正の解錠キー４により室外側から施解錠操作する室外側シリンダ錠５と、
扉錠本体２を室内側から施解錠操作する室内側錠操作装置６とを有し、
前記室内側錠操作装置６は、室外側シリンダ錠５に使用される解錠キー４の解錠コード形成凹部３以外の共通特徴部分を有するプレート７の挿入を検知した際に室内側錠操作装置６への操作を可能にするキー検出部８を備える扉錠操作装置を提供することにより達成される。
【０００７】
本発明において、扉錠本体２の操作は、室外からは室外側シリンダ錠５により、室内からは室内側錠操作装置６によりそれぞれ行われ、室内側錠操作装置６にはキー検出部８が設けられる。室外側シリンダ錠５は、所定の解錠コード形成凹部３を備えた真正な解錠キー４を挿入した際にのみ操作可能であり、キー検出部８は、少なくとも室外側シリンダ錠５に対する施解錠操作を行う際に使用する解錠キー４の共通的特徴を有するプレート７が挿入されると、室内側錠操作装置６への操作を可能にし、それ以外では室内側錠操作装置６への操作を不能にするように構成される。
【０００８】
解錠キー４の共通的特徴としては、解錠キー４に個性をもたせている解錠コード形成凹部３以外の外形的諸元、例えば、板厚、先端形状、さらには、製造メーカ、あるいは型番等を特徴づける外形的特徴であってもよい。
【０００９】
室内側錠操作装置６は、ノブ状、あるいは摘み状の操作部（いわゆるサムターン）として構成することが可能であり、キー検出部８はこれら操作部の施錠手段として構成することができる。
【００１０】
したがってこの発明において、室内側錠操作装置６にキー検出部８を設けることにより、室内に手を入れて室内側錠操作装置６を直接操作する不正施解錠操作を完全に防止することができる。また、この場合、キー検出部８は、室外側シリンダ錠５に使用される解錠キー４の共通的特徴を検知するのみで、解錠コード形成凹部３に対するチェックを行わないために、キー検出部８を共通化することができる。この結果、キー検出部８を室外側シリンダ錠５と一体に管理する必要がなくなり、取り扱い、交換等が容易になる。
【００１１】
また、キー検出部８におけるチェック対象を適宜に決定することにより、製造メーカが室外側シリンダ錠５とキー検出部８とで異なっていても利用可能になったり、あるいは、室外側シリンダ錠５の製造メーカと同一の解錠キー４、さらには、同一メーカの所定型番の解錠キー４のみを操作可能とするなど、設定の自由度が適宜に設定できる。
【発明の効果】
【００１２】
本発明によれば、解錠キー４の管理が容易で、かつ、製造販売時等におけるシリンダ錠の管理も容易にすることができる。
【発明を実施するための最良の形態】
【００１３】
図１に本発明の実施の形態を示す。図において、２は扉体１内に収容、固定される箱錠（扉錠本体）であり、デッドボルト操作部２ａに回転操作を加えることによりデッドボルト２ｂを扉体１の端面から進退させ、扉体１の施解錠を行う。
【００１４】
５は箱錠２を室外側から操作するためのシリンダ錠（室外側シリンダ錠５）であり、図２に示すように、シリンダケース５ａ内にプラグ５ｂを回転自在に挿入して形成される。プラグ５ｂとシリンダケース５ａには、タンブラ５ｃとドライブピン５ｄとが先端同士を当接させる状態で一直線上に配置される。ドライブピン５ｄは、圧縮スプリング５ｅによりプラグ５ｂの回転中心側に付勢されており、図２（ａ）に示すように、プラグ５ｂに設けられたキー挿入部５ｆ内に解錠キー４が挿入されない状態において、ドライブピン５ｄがシリンダケース５ａとプラグ５ｂの回転境界に位置し、プラグ５ｂの相対回転を規制する。
【００１５】
この状態から真正な解錠キー４が挿入されると、タンブラ５ｃは解錠キー４に形成された解錠コード形成凹部３により外周方向に所定距離押し出され、タンブラ５ｃとドライブピン５ｄとの境界がプラグ５ｂのシリンダケース５ａとの回転境界に位置し、プラグ５ｂを回転させることができる。プラグ５ｂの終端には、箱錠２のデッドボルト操作部２ａに嵌合する操作突部５ｇが設けられ、解錠キー４を回転させて箱錠２の施解錠操作を行うことができる。
【００１６】
６は室内側錠操作装置であり、箱錠２のデッドボルト操作部２ａに室内側から嵌合するコマ状の連結部６ａと、図外のコントローラからの施解錠指令に基づいて連結部６ａを駆動する電動駆動部６ｂと、非常時に電動駆動部６ｂとは独立に連結部６ａを操作可能な手動駆動部６ｃとを有する。
【００１７】
この実施の形態は、上記手動駆動部６ｃを経由した不正操作を防止するために構成され、キー検出部８としてのシリンダ錠を備える。図３に示すように、シリンダ錠は、シリンダケース９内にプラグ１０を回転自在に挿入して形成され、プラグ１０には、上記室外側シリンダ錠５を操作可能な解錠キー４が挿入可能なキー挿入部１０ａが設けられる。キー挿入部１０ａの断面は、ドライバ等の異物の挿入ができないように十分に小さいことが必要であるが、一方、通常、箱錠２を施解錠操作するための解錠キー４であるならば、この扉錠操作装置に使用されている室外側シリンダ錠５とは異なる品番、製造元の解錠キー４が挿入可能な程度に断面を拡大することは、汎用性を向上させるために有効な変形である。
【００１８】
また、キー挿入部１０ａの深さは、上記ドライバ等の先端に形成される薄肉部が最奥部（終端部）に達しない程度の寸法が確保されていればよく、上記室外側シリンダ錠５の操作に使用する解錠キー４が完全に挿入可能な深さである必要はない。
【００１９】
室内側シリンダ錠のタンブラ１２とドライブピン１１はキー挿入部１０ａの最奥部近傍、正確にはドライバ等の先端が達することのできない位置に配置される。ドライブピン１１とタンブラ１２とは、キー挿入部１０ａを挟んで両側に一対配置され、各々のタンブラ１２は圧縮スプリング１３によりキー挿入部１０ａから突出するように付勢される。
【００２０】
これらドライブピン１１とタンブラ１２とは、図３（ａ）に示すように、解錠キー４が挿入されない状態ではドライブピン１１がプラグ１０とシリンダケース９の回転境界を跨いで位置するためにプラグ１０を回転させることができない。これに対し、プレート７としての解錠キー４が挿入されると、図３（ｃ）に示すように、タンブラ１２は解錠キー４の側壁に押し出されてドライブピン１１との境界がプラグ１０の回転境界に位置してプラグ１０への回転操作が可能になる。
【００２１】
すなわち、タンブラ１２およびドライブピン１１は挿入された解錠キー４の板厚のみを検出するのみであり、解錠キー４に形成された解錠コード形成凹部３に左右されることがない。このため、真正な解錠キー４でなくとも、室外側シリンダ錠５に使用される同型の解錠キー４であれば室内側シリンダ錠への操作が可能になる。この結果、室内側シリンダ錠は、室外側シリンダ錠５の解錠コードを考慮することなく選定できるために、販売管理、在庫管理等が容易になる。
【００２２】
これに対し、マイナスドライバ等では、タンブラ１２配置位置までキー挿入部１０ａ内に挿入できないために、タンブラ１２を直接操作することが不可能であり、手動駆動部６ｃを経由した箱錠２の不正解錠操作が防止され、防犯性能は確保される。また、タンブラ１２は対向位置に一対配置されているために、薄板体をキー挿入部１０ａに挿入して一方のタンブラ１２を所定位置まで移動させても、対向配置される他のタンブラ１２を同時に所定位置まで移動させることができないために、このような異物による操作も不可能となる。
【００２３】
このとき、タンブラ１２およびドライブピン１１を、室外側シリンダ錠５に使用されるものと異なる品番、製造元の解錠キー４が挿入された際にもプラグ１０の回転が可能となるように、シャーライン形成可能範囲を広く設定しておくと、室外側シリンダ錠５の種類等を全く考慮することなく室内側シリンダ錠を自由に選択、使用できるために、融通性がより向上する。
【００２４】
なお、以上においては、室内側シリンダ錠は、解錠キー４の板厚によりプレート７挿入を検出するように構成されているが、解錠キー４の解錠コード形成凹部３が形成されていない部位の存在を検出することが可能であれば足り、例えば、タンブラ１２を解錠キー４の切断端面、あるいは切断端面と幅広面との稜線に当接させて解錠キー４を検出したり、さらには、タンブラ１２を幅広面を斜め方向から突き当てて解錠キー４の共通特徴を有するプレート７を検出することができる。
【００２５】
また、所定条件を満足するプレート７の検出には、タンブラ１２以外に、キー挿入部１０ａに対して対向位置から突出方向に付勢されるレバー等を使用することもできる。 
【００２６】
さらに、以上においては、キー検出部８は、解錠キー４としての一般的特徴部分、すなわち、板厚、幅寸法等を検知対象とすることにより、解錠キー４の種類、製造メーカを問わずキー検出を行うように構成されているが、例えば、解錠キー４の先端のテーパ角度、解錠キー４の存在を確認するために埋め込まれた所謂フローティングボール等、解錠キー４の種類、あるいは製造メーカ等により特徴的で、かつ、解錠コードの構成に寄与しない部分を検知するように構成することもできる。このように構成すると、例えば、異なる種類の解錠キー４を挿入しても手動操作部を操作することができなくなって、防犯性能がより向上し、かつ、解錠コードに対する配慮を要せず、室外側シリンダ錠５の種類のみに合致させればよいために、製造、管理等の手数が増加することもない。
【００２７】
さらに、図１において手動操作部６ｃは、室内側シリンダ錠が解錠キー４の挿入を検出すると、プラグ１０への回転操作が可能になり、この後、プラグ１０を回転させると、箱錠２の施解錠操作を行うことができるように構成されるが、周知の摘み部材（サムターン）への回転操作により箱錠２を操作するように構成する場合には、キー検出部８をサムターンの施錠装置として利用することもできる。
【００２８】
加えて、図1において室内側錠操作装置は、手動操作部６ｃと電動操作部６ｂとを有して構成されているが、手動操作部６ｃだけで形成することもできる。
【図面の簡単な説明】
【００２９】
【図１】本発明を示す断面図である。
【図２】室外側シリンダ錠を示す図１の２Ａ-２Ａ線断面図で、（ａ）は解錠キーの未挿入状態を示す図、（ｂ）は真正な解錠キーを挿入した状態を示す図である。
【図３】キー検出部を示す図で、（ａ）はプレート未挿入状態を示す断面図、（ｂ）は正面図、（ｃ）は条件が充足されたプレートを挿入した状態を示す断面図である。
【符号の説明】
【００３０】
１        扉体
２        扉錠本体
３        解錠コード形成凹部
４        解錠キー
５        室外側シリンダ錠
６        室内側錠操作装置
７        プレート
８        キー検出部
９        シリンダケース
１０      プラグ
１１      ドライブピン
１２      タンブラ
【図１】
2005325563.tif 000003
【図２】
2005325563.tif 000004
【図３】
2005325563.tif 000005